(57)【特許請求の範囲】
【請求項１】
浴槽の側壁に貫通するように設けた円形の取り付け穴に配置される吸い込み口部材を外筒体と内筒体とで構成し、外筒体を取り付け穴に挿通すると共に、外筒体の浴槽内側の端部の全周から外周に突出する係止縁と外筒体の外周に螺合した浴槽外側に配置したナットとで取り付け穴の穴縁を水密的に挟持して外筒体を取り付け穴に取付け、外筒体に内筒体を挿通すると共に内筒体の浴槽内側の端部の外周に設けたフランジを外筒体の係止縁に重ねた状態で外筒体を内筒体に着脱自在に水密的に取着し、内筒体の浴槽内側を径の大きい吸い込み口とすると共に浴槽外側を径の小さな接続口として、吸い込み口と接続口との間に内筒体の全周に亙る段部を形成し、該段部を浴槽内と浴槽外とを浴槽の側壁と略平行な面で仕切る仕切り壁とし、この仕切り壁の浴槽外側の面に一部切欠円環状の磁性体と、該一部切欠円環状の磁性体の切れ目の部分に位置するホール素子、マグネットスイッチ等の磁気検出手段を装着し、通水性のある有底円筒状で吸い込み口を覆うサクションカバーを吸い込み口部材の吸い込み口内に嵌まるように被着すると共に有底円筒状のサクションカバーの開口側の端縁に全周に亘って一体に設けたマグネットを上記仕切り壁の浴槽内側の面に当てた状態で配置して該マグネットを仕切り壁を介して対向する磁性体に磁着して、サクションカバーを吸い込み口に取付けて成ることを特徴とするジェットバスのサクション部の構造。
【発明の詳細な説明】
【０００１】
【発明の属する技術分野】
本発明は、ジェットバス（気泡発生浴槽）のサクション部の構造に関するものである。
【０００２】
【従来の技術】
従来、ジェットバスのサクション部は図２に示すように構成されていた。浴槽１の側壁１ａに取り付け穴２を設けてあり、取り付け穴２に吸い込み部材３′を挿通すると共に取り付け穴２の穴縁を水密的に挟持して取り付け穴２に吸い込み部材３′を取り付けてあり、吸い込み部材３′の接続口４′を浴槽１の外に導出してある。接続口４′は吸引ポンプ等に連通させてある。吸い込み部材３′内にはフィルター等を収納してあり、吸い込み部材３′の吸い込み口を浴槽１内に臨ませてある。網６等を設けて通水性を持たせたサクションカバー７は浴槽１外から吸い込み口に被嵌してあり、サクションカバー７から止めねじ８を吸い込み口部材３′に螺入して取り付けてある。
【０００３】
【発明が解決しようとする課題】
ところで、サクションカバー７はときどき取り外す必要があるが、上記構造では止めねじ８の着脱操作をしなければサクションカバー７を取り外したり、取り付けたりできなくてサクションカバー７の取り付けに手間がかかるという問題がある。
【０００４】
この手間をなくすためにサクションカバー７にマグネットを一体に装着し、浴槽１外で吸い込み部材３′の外周に鉄板等の磁性体を装着し、サクションカバー７をマグネットの磁性体への磁着で取り付けることも行われている。かかるものではマグネットの磁着で取り付けると、サクションカバー７の着脱が容易に行われるが、サクションカバー７の着脱が容易にできると、サクションカバー７が脱落したりサクションカバー７を付け忘れたりすることがおこる。サクションカバー７が取り付けられない状態で吸引動作が作動すると、使用者の髪や体が吸い込まれる危険性が発生する。
【０００５】
これをなくすために浴槽１の外で吸い込み部材３′の外周にホール素子９を配置し、サクションカバー７のマグネットの磁力の有無をホール素子９にて検出することでサクションカバー７の被着の有無を判別し、サクションカバー７を被着しない限りジェットバスが作動しないように安全策を施したものもある。ところが、吸い込み口部材３′は図２に示すような構造のためにホール素子９は図２の想像線に示すような浴槽１の側壁１ａの外面に取り付けられる。しかし浴槽１の側壁１ａの厚さや吸い込み部材３′の取り付け具合によってマグネットとホール素子９の間の距離が変ってしまって検出の性能が一定せず、施工の管理が大変であるという問題がある。またメンテナンスのときに浴槽１内からホール素子９を取り出したりすることできず、メンテナンスがしにくいう問題があった。
【０００６】
本発明は叙述の点に鑑みてなされたものであって、ホール素子、マグネットスイッチ等の磁気検出手段の検出性能が一定で施工の管理が容易になり、また磁気検出手段のメンテナンスも容易にできるジェットバスのサクション部の構造を提供することを課題とする。
【０００７】
【課題を解決するための手段】
上記課題を解決するため本発明の請求項１の発明は、浴槽１の側壁１ａに貫通するように設けた円形の取り付け穴２に配置される吸い込み口部材３を外筒体１６と内筒体１７とで構成し、外筒体１６を取り付け穴３に挿通すると共に、外筒体１６の浴槽１内側の端部の全周から外周に突出する係止縁２３と外筒体１６の外周に螺合した浴槽１外側に配置したナット２４とで取り付け穴３の穴縁を水密的に挟持して外筒体１６を取り付け穴３に取付け、外筒体１６に内筒体１７を挿通すると共に内筒体１７の浴槽１内側の端部の外周に設けたフランジ１８を外筒体１６の係止縁２３に重ねた状態で外筒体１６を内筒体１７に着脱自在に水密的に取着し、内筒体１７の浴槽１内側を径の大きい吸い込み口１２とすると共に浴槽１外側を径の小さな接続口４として、吸い込み口１２と接続口４との間に内筒体１７の全周に亙る段部を形成し、該段部を浴槽１内と浴槽１外とを浴槽１の側壁１ａと略平行な面で仕切る仕切り壁１０とし、この仕切り壁１０の浴槽１外側の面に一部切欠円環状の磁性体１１と、該一部切欠円環状の磁性体１１の切れ目の部分に位置するホール素子９、マグネットスイッチ等の磁気検出手段Ａを装着し、通水性のある有底円筒状で吸い込み口１２を覆うサクションカバー７を吸い込み口部材３の吸い込み口１２内に嵌まるように被着すると共に有底円筒状のサクションカバー７の開口側の端縁に全周に亘って一体に設けたマグネット１３を上記仕切り壁１０の浴槽１内側の面に当てた状態で配置して該マグネット１３を仕切り壁１０を介して対向する磁性体１１に磁着して、サクションカバー７を吸い込み口１２に取付けて成ることを特徴とする。
【０００８】
サクションカバー７をマグネット１３の磁性体１１への磁着にて取り付けことにより、サクションカバー７の着脱が容易にできる。サクションカバー７の着脱を磁気検出手段Ａで検出するようにしたことによりサクショカバー７を取り付けないで運転されることがなくなり、安全性を確保できる。吸い込み口部材３の浴槽１外に導出した接続口４より外周で且つ取り付け穴２の穴縁より内周の位置に浴槽１内と浴槽２外とを浴槽１の側壁１ａと略平行な面で仕切る仕切り壁１０を吸い込み口部材３の略全周に亙って設け、上記仕切り壁１０の浴槽１外側の面に磁性体１１と磁気検出手段Ａを装着し、サクションカバー７に一体に設けたマグネット１３を上記仕切り壁１０の浴槽１内側に配置して仕切り壁１０を介してマグネット１３を磁性体１１に磁着したことにより、浴槽１の側壁１ａの厚さが変ったり、吸い込み口部材３の取り付け状態が変ったりしてもマグネット１３の磁力を検出する性能を一定にでき、施工の管理を容易にできる。
【０００９】
またこの場合、内筒体１７のフランジ１８の固定を外すことで内筒体１７を浴槽１内側に取り出して磁気検出手段Ａのメンテナンス等を浴槽１内側から容易に行うことができる。
【００１０】
【発明の実施の形態】
先ず、図１に示す実施の形態の例から述べる。
【００１１】
浴槽１の側壁１ａには円形の取り付け穴２が内外に貫通するように穿孔されており、この取り付け穴２に吸い込み口部材３が水密的に取り付けられるようになっている。本例の場合、吸い込み口部材３は外筒体１６と内筒体１７とで主体が構成されている。外筒体１６は円筒状であり、取り付け穴２の穴縁に沿って取り付けられる。取り付け穴２の穴縁に断面Ｕ字状のパッキン２２が全周に亙って装着されており、このパッキン２２を介して外筒体１６が水密的に取り付けられる。外筒体１６の一端の全周には外周に突出するように係止縁２３を設けてあり、この係止縁２３が側壁１ａの浴槽１内側の面に係止される。外筒体１６の外周には雄ねじを穿設してあり、側壁１ａの浴槽１外側には円環状のナット２４を配置してあり、ナット２４を外筒体１６の外周に螺合してあり、ナット２４を締め付けることでナット２４と係止縁２３とで側壁１ａを挟持して外筒体１６を側壁１ａに水密的に取り付けてある。
【００１２】
内筒体１７は円筒状であって、外筒体１６内に挿通して水密的に取り付けられるようになっている。内筒体１７の浴槽１内側は径の大きい吸い込み口１２となっており、内筒体１７の浴槽１外側が径の小さな接続口４となっており、吸い込み口１２と接続口４との間の段部は側壁１ａの面と平行な仕切り壁１０となっている。内筒体１７の浴槽１内側の端部には全周に亙って外周方向に突出するフランジ１８を設けてあり、フランジ１８には周方向に間隔を隔ててねじ挿通穴２５を穿孔してある。このフランジ１８は外筒体１６の係止縁２３の上に重ねられ、止めねじ２６がねじ挿通穴２５を介して係止縁２３に螺合されてフランジ１８が係止縁２３に取り付けられている。内筒体１７の接続口４は浴槽１外側に導出され、接続口４には吸引ポンプ等が連通させられている。
【００１３】
内筒体１７の仕切り壁１０の浴槽１外側には鉄板等の磁性体１１が装着されている。本例の場合、磁性体１１は一部切欠円環状に形成されている。また仕切り壁１０の浴槽１外側にはホール素子９、マグネットスイッチ等の磁気検出手段Ａが装着されている。本例の場合、一部切欠円環状の磁性体１１の切れ目の部分に磁気検出手段Ａが位置するように配置してある。磁気検知手段Ａを取り付けるとき、本例の場合、磁気検知手段Ａを固定充填材２７にて密封すると共に固定してある。サクションカバー７は有底円筒状に形成されており、網目等を設けて通水性を持たせてある。このサクションカバー７の開口側の端縁には全周に亙ってマグネット１３を一体に設けてあり、このサクションカバー７が吸い込み口１２内に嵌るように被着してある。サクションカバー７を被着したときマグネット１３と磁性体１１とが仕切り壁１０を介して対向して磁着され、またマグネット１３の磁力が磁気検出手段Ａに検出される。磁気検出手段Ａはサクションカバー７を装着したときのマグネット１３の磁力を検出しないときには吸引ポンプ等を動作させないように制御されている。
【００１４】
上記のようにサクションカバー７をマグネット１３の磁性体１１への磁着にて取り付けることにより、サクションカバー７の着脱が容易にできる。またサクションカバー７の着脱を磁気検出手段Ａで検出するようにしたことによりサクショカバー７を取り付けないで運転されることがなくなり、安全性を確保できる。また仕切り壁１０の浴槽１外側の面に磁気検出手段Ａを装着し、仕切り壁１０を介してサクションカバー７のマグネット１３を磁気検知手段Ａに対向させたことにより浴槽１の側壁１ａの厚さが変ったり、吸い込み口部材３の取り付け状態が変ったりしてもマグネット１３の磁力の検出する性能を一定にでき、施工の管理を容易にできる。また止めねじ２６を外して内筒体１７のフランジ１８の固定を外すことで内筒体１７を浴槽１内側に取り出して磁気検出手段Ａのメンテナンス等を浴槽１内側から容易に行うことができる。
【００１５】
【発明の効果】
本発明の請求項１の発明は上述のようにサクションカバーをマグネットの磁性体への磁着にて取り付けたので、サクションカバーの着脱が容易にできものであり、またサクションカバーの着脱を磁気検出手段で検出するようにしたので、サクショカバーを取り付けないで運転されることがなくなり、安全性を確保できるものであり、しかも、吸い込み口部材の浴槽外に導出した接続口より外周で且つ取り付け穴の穴縁より内周の位置に浴槽内と浴槽外とを浴槽の側壁と略平行な面で仕切る仕切り壁を吸い込み口部材の略全周に亙って設け、上記仕切り壁の浴槽外側の面に磁性体と磁気検出手段を装着し、サクションカバーに一体に設けたマグネットを上記仕切り壁の浴槽内側に配置して仕切り壁を介してマグネットを磁性体に磁着したので、浴槽の側壁の厚さが変ったり、吸い込み口部材の取り付け状態が変ったりしてもマグネットの磁力を検出する性能を一定にでき、施工の管理を容易にできるものである。
【００１６】
また吸い込み口部材を外周の外筒体と内周の内筒体とで構成し、外筒体を取り付け穴に挿通すると共に取り付け穴の穴縁を水密的に挟持して取り付け穴に外筒体を取り付け、外筒体に内筒体を挿通すると共に内筒体の浴槽内側の端部の外周に設けたフランジを外筒体に着脱自在に取着し、内筒体の浴槽外に導出した接続口の外周に浴槽内と浴槽外とを浴槽の側壁と略平行な面で仕切る仕切り壁を略全周に亙って設け、この仕切り壁の浴槽外側の面に磁性体とホール素子、マグネットスイッチ等の磁気検出手段を装着しているので、内筒体のフランジの固定を外すことで内筒体を浴槽内側に取り出して磁気検出手段のメンテナンス等を浴槽内側から容易に行うことができるものである。
【図面の簡単な説明】
【図１】  （ａ）は本発明の実施の形態の一例を示す断面図、（ｂ）は磁性体と磁気検出手段との配置を説明する正面図である。
【図２】  従来例の一部省略断面図である。
【符号の説明】
Ａ  磁気検知手段
Ｂ  検知手段ユニット
１  浴槽
１ａ  側壁
２  取り付け穴
３  吸い込み部材
４  接続口
７  サクションカバー
９  ホール素子
１０  仕切り壁
１１  磁性体
１２  吸い込み口
１３  マグネット
１６  外筒体
１７  内筒体
１８  フランジ
１９  収納穴
２０  ケーシング
【図１】
0003758529.tif 000002
【図２】
0003758529.tif 000003